(57)【要約】【課題】角部に回動軸が配置されていなくても、外観上視認し難い連通経路を形成することのできる羽根部品の提供。【解決手段】水平羽根は、空気調和装置の水平羽根であって、本体２０と、蓋と、を備える。本体２０は、本体側外周壁２２を有する。本体２０は、上方に開口している。蓋は、右側縁部３６を有する。蓋は、前記開口を覆うように位置することで本体２０と共同して中空空間を形成する。右側縁部３６は、本体側外周壁２２の内側に配置される。右側縁部３６には、連通口３６ａが形成されている。本体側外周壁２２と右側縁部３６との間には、隙間が設けられている。中空空間と外部空間とは、連通口３６ａ及び隙間を含む連通経路を介して連通する。【選択図】図５
2016044874.tif 000002
【特許請求の範囲】
【請求項１】
空気調和装置の有する羽根部品であって、
本体側外周壁（２２）を有しており、上方に開口する本体（２０）と、
蓋側外周壁（３６）を有しており、前記開口を覆うように位置することで前記本体と共同して中空空間を形成する蓋（３０）と、
を備え、
前記蓋側外周壁は、前記本体側外周壁の内側に配置されており、
前記蓋側外周壁には連通口（３６ａ）が形成されており、
前記本体側外周壁と前記蓋側外周壁との間には、隙間（Ｓ）が設けられており、
前記中空空間と外部空間とは、前記連通口及び前記隙間を含む連通経路を介して連通する、
羽根部品（１０）。
【請求項２】
前記本体側外周壁及び／又は前記蓋側外周壁は、前記隙間を形成するための隙間形成部（３９）を有する、
請求項１に記載の羽根部品。
【請求項３】
前記本体は、水平方向に沿って延びるように形成されており前記開口に対向して位置する本体側基部（２１）、を有し、
前記蓋は、水平方向に沿って延びるように形成されており、前記本体側基部に対向して位置する蓋側基部（３３）、を有し、
前記連通口及び前記隙間は、後側端部（１０ｂ）よりも前記空気調和装置の正面側に位置する前側端部（１０ａ）近傍に配置されている、
請求項１又は２に記載の羽根部品。
【発明の詳細な説明】
【技術分野】
【０００１】
本発明は、空気調和装置の有する羽根部品に関する。
【背景技術】
【０００２】
従来より、空気調和装置の有する中空構造の羽根部品には、温度変化による羽根部品内部の中空空間における空気の体積変化に対応可能なように、羽根部品内部の中空空間と羽根部品外部の外部空間とを連通させるための連通経路が形成されているものが多い。
【０００３】
ここで、羽根部品のようにユーザーに視認される外観部品には、通常、外観上高品位が要求される。このため、羽根部品に形成される連通経路は、ユーザーから視認され難いことが望まれている。
【０００４】
この対策として、例えば、特許文献１（特開２０１４−４４０２０号公報）に開示されている羽根部品では、空気調和装置に対する羽根部品の姿勢を変更するときに回動支点となる回動軸を、長方形状の羽根部品の角部に配置している。そして、羽根部品の中空空間と外部空間とを連通させる連通経路を該回動軸の内側に設けることで、連通経路がユーザーから視認され難くなっている。
【発明の概要】
【発明が解決しようとする課題】
【０００５】
ところで、回動軸が羽根部品の角部に配置されていない構造である場合、羽根部品において外観上視認し難い連通経路を形成することが困難になる。
【０００６】
そこで、本発明の課題は、角部に回動軸が配置されていなくても、外観上視認し難い連通経路を形成することのできる羽根部品を提供することにある。
【課題を解決するための手段】
【０００７】
本発明の第１観点に係る羽根部品は、空気調和装置の羽根部品であって、本体と、蓋と、を備える。本体は、本体側外周壁を有する。本体は、上方に開口している。蓋は、蓋側外周壁を有する。蓋は、前記開口を覆うように位置することで本体と共同して中空空間を形成する。蓋側外周壁は、本体側外周壁の内側に配置される。蓋側外周壁には、連通口が形成されている。本体側外周壁と蓋側外周壁との間には、隙間が設けられている。中空空間と外部空間とは、連通口及び隙間を含む連通経路を介して連通する。
【０００８】
本発明の第１観点に係る羽根部品では、本体側外周壁の内側に蓋側外周壁が配置されている。そして、蓋側外周壁に形成された連通口と、本体側外周壁と蓋側外周壁との間に設けられた隙間とを含む連通経路を介して中空空間と外部空間とが連通する。このため、羽根部品の角部に回動軸が配置されていなくても、外観上視認し難い連通経路を形成することができる。
【０００９】
本発明の第２観点に係る羽根部品は、第１観点の羽根部品において、本体側外周壁及び／又は蓋側外周壁は、隙間を形成するための隙間形成部を有する。この羽根部品では、隙間形成部があることで、本体側外周壁と蓋側外周壁との間に隙間が形成されないおそれを低減することができる。
【００１０】
本発明の第３観点に係る羽根部品は、第１観点又は第２観点のいずれかの羽根部品において、本体は、本体側基部を有する。本体側基部は、水平方向に沿って延びるように形成されている。本体側基部は、前記開口に対向して位置する。蓋は、蓋側基部を有する。蓋側基部は、水平方向に沿って延びるように形成されている。蓋側基部は、本体側基部に対向して位置する。連通口及び隙間は、水平羽根の前側端部近傍に配置されている。前側端部は、羽根部品において、後側端部よりも空気調和装置の正面側に位置する端部である。
【００１１】
ここで、空気調和装置の冷房運転時には、後側端部側から前側端部側に向かって冷気が流れる。このとき、羽根部品の後側端部は前側端部よりも低温の冷気が接触するため、後側端部に結露が生じやすくなる。
【００１２】
本発明の第３観点に係る羽根部品では、前側端部近傍に連通口及び隙間が位置していることで、結露により連通経路が塞がれるおそれを低減することができる。
【発明の効果】
【００１３】
本発明の第１観点に係る羽根部品では、羽根部品の角部に回動軸が配置されていなくても、外観上視認し難い連通経路を形成することができる。
【００１４】
本発明の第２観点に係る羽根部品では、本体側外周壁と蓋側外周壁との間に隙間が形成されないおそれを低減することができる。
【００１５】
本発明の第３観点に係る羽根部品では、結露により連通経路が塞がれるおそれを低減することができる。
【図面の簡単な説明】
【００１６】
【図１】本発明の一実施形態に係る水平羽根を有する空気調和装置の斜視図。
【図２】本発明の一実施形態に係る水平羽根の平面図。
【図３】本発明の一実施形態に係る水平羽根の断面図。
【図４】本発明の一実施形態に係る水平羽根の断面図。
【図５】本発明の一実施形態に係る水平羽根の断面図。
【図６】右側から見た蓋の側面図。
【図７】水平羽根における通風経路付近の部分拡大図。
【図８】変形例Ｂに係る水平羽根における通風経路付近の部分拡大図。
【図９】変形例Ｂに係る水平羽根における通風経路付近の部分拡大図。
【図１０】変形例Ｂに係る水平羽根における通風経路付近の部分拡大図。
【発明を実施するための形態】
【００１７】
以下、本発明の一実施形態に係る羽根部品について、図面を参照しつつ説明する。なお、以下の実施形態は、本発明の具体例であって、本発明の技術範囲を限定するものではない。
【００１８】
（１）全体構成
図１は、本発明の一実施形態に係る水平羽根１０を有する空気調和装置の斜視図である。図２は、本発明の一実施形態に係る水平羽根１０の平面図である。本発明の一実施形態である羽根部品としての水平羽根１０が採用される空気調和装置の室内機１００は、図１に示すように、室内の壁面に取り付けられる壁掛け型の室内機であって、冷房機能や暖房機能を有している。室内機１００は、筐体としてのケーシング１１０を備える。ケーシング１１０には、室内空気をケーシング１１０内部に取り込むための吸込口１１１と、ケーシング１１０内部に取り込んだ空気を室内に吹き出すための吹出口１１２とが形成されている。また、ケーシング１１０の内部には熱交換器及びファン等が収納されており、ファンが駆動することによって吸込口１１１から吸い込まれた室内空気が熱交換器を通過して吹出口１１２から吹き出される。室内空気は、熱交換器を通過する際に熱交換されて、冷気又は暖気となり、室内へと戻る。
【００１９】
吹出口１１２は、室内機１００の長手方向（図１では左右方向）に延びる開口であって、図１に示すように、ケーシング１１０の前方下部、すなわち、室内機１００の前方下部に形成されている。また、吹出口１１２には、吹出口１１２を覆うことのできる水平羽根１０が配設されている。本実施形態の水平羽根１０は、長方形状を呈する板状の部材である。水平羽根１０は、その長手方向に沿って延びる回動軸１２０を回動中心として回動可能に設けられており、回動することで所定の姿勢を採る。そして、水平羽根１０は、運転停止時には吹出口１１２を覆うことで吹出口１１２を閉じ、運転時には熱交換器を通過して吹出口１１２から吹き出される調和空気の上下方向の風向を調整する。
【００２０】
（２）詳細構成
（２−１）水平羽根１０
図３は、図２のIII-IIIで切断した水平羽根１０の断面図である。図４は、図２のIV-IVで切断した水平羽根１０の断面図である。図５は、図２のV-Vで切断した水平羽根１０の断面図である。
【００２１】
水平羽根１０は、樹脂製であって、中空構造に形成されている。これにより、水平羽根１０の断熱性能が向上する。水平羽根１０は、主に、本体２０と蓋３０とから成なっており、本体２０と蓋３０とが振動溶着、超音波溶着又は接着剤等の既存の接合方法により接合されることで構成される。このため、蓋３０は、本体２０と共同して中空部６０を形成しているといえる。
【００２２】
また、水平羽根１０の４辺を形成する端部のうち、長手方向に直交する短手方向の両端部のうちの一方の端部である前側端部１０ａと、その反対側の端部である後側端部１０ｂとが水平になるように水平羽根１０を配置した場合、水平羽根１０の上面（内面）及び下面（外面）は、水平方向に沿って延びるように形成されている。なお、ここでいう「水平方向に沿って延びるように」とは、水平面に対して全く傾斜していないものから、水平面に対して１０°前後傾斜しているものや湾曲しているものも含まれるものとする。そして、本実施形態の水平羽根１０は、室内機１００の前方下部全体が丸みを帯びた形状になるように、滑らかに湾曲している。
【００２３】
なお、水平羽根１０の形状は本実施形態に限定されず、水平羽根１０が湾曲していない平らな形状であってもよい。また、本実施形態の水平羽根１０は、長方形状を呈しているが、中空構造であれば外形はこれに限定されない。
【００２４】
（２−２）本体２０
本体２０は、一方（図３及び図４における上方）が開口した箱状の部材であって、開口に対向して位置する長方形状の本体側基部２１と、本体側基部２１の外周縁から立設する本体側外周壁２２とを有する。本体側基部２１において、長手方向に直交する方向である短手方向の両端部のうちの一方の端部には、回動軸１２０を支持する軸受け部２３が複数（ここでは、３つ）設けられている。また、本体側基部２１において軸受け部２３の設けられている面とは反対側の面が、運転停止時にユーザーから視認される水平羽根１０の外面を構成する。なお、本実施形態の軸受け部２３は、本体側基部２１の長手方向の両端部である左右端部よりも中央側に設けられている。このため、水平羽根１０の回動軸１２０は、水平羽根１０の後側端部１０ｂにおいて角部よりも中央側に配置されているといえる。
【００２５】
また、本体側基部２１は、傾斜部２４を含む。傾斜部２４は、本体側基部２１の短手方向の両端部に位置しており、本体側外周壁２２の立設する方向に向かって傾斜している。さらに、本体側基部２１は、水平羽根１０が湾曲して構成されるように一方向に湾曲している。具体的には、本体側基部２１は、本体側外周壁２２の立設する方向とは反対方向に向かって湾曲している。
【００２６】
（２−３）蓋３０
図６は、蓋３０の側面図である。図７は、通風経路付近を拡大した水平羽根１０の平面図である。
【００２７】
蓋３０は、本体２０の開口を覆うように配置されており、本実施形態では本体２０の内側に嵌り込むように構成されている。また、蓋３０は、運転停止時にユーザーから視認されない水平羽根１０の内面を構成する。蓋３０は、図２に示すように、中央部３１と、外周縁部３２と、を有する。中央部３１は、長方形状の蓋側基部３３と、蓋側基部３３の長手方向に直交する短手方向の両端部から立設する壁部３４とを有する（図３及び図４参照）。蓋側基部３３は、蓋３０が本体２０に嵌め込まれた状態で、本体側基部２１と同一方向に湾曲している。
【００２８】
外周縁部３２のうちの蓋３０の長手方向に直交する方向である短手方向の両端部に位置する縁部は、前側縁部３８と後側縁部３７とから成る。図４に示すように、前側縁部３８は、後側縁部３７よりも軸受け部２３から遠い側の縁部である。前側縁部３８及び後側縁部３７は、壁部３４の先端から傾斜部２４に沿うようにそれぞれ延びている。なお、本実施形態では、図３に示すように、蓋３０において軸受け部２３近傍に位置する部分には後側縁部３７が設けられていないものとする。
【００２９】
外周縁部３２のうちの蓋３０の長手方向の両端部に位置する縁部は、左側縁部３５と、蓋側外周壁としての右側縁部３６とから成る。左側縁部３５及び右側縁部３６は、蓋側基部３３の延びる方向に交差する方向（ここでは直交する方向）に延びている（図５及び図６参照）。左側縁部３５及び右側縁部３６の外面（面３６ｆ）は、本体２０の長手方向の左右端部に位置する本体側外周壁２２の内面（面２２ｆ）に対向するように位置している。
【００３０】
また、図５及び図６に示すように、右側縁部３６の前側端部近傍には、連通口３６ａが形成されている。さらに、右側縁部３６の連通口３６ａ近傍には、隙間形成部としてのリブ３９が１又は複数本（本実施形態では２本）設けられている。リブ３９は、右側縁部３６の面３６ｆから本体側外周壁２２側に向かって突出している。本実施形態のリブ３９は、図６における右側縁部３６の下端から上端まで延びている。このような構成により、図７に示すように、本体側外周壁２２の面２２ｆと右側縁部３６の面３６ｆとの間には隙間Ｓが設けられる。そして、中空部６０の内部空間と外部空間とが、連通口３６ａ及び隙間Ｓから成る連通経路を介して連通する。ここで、連通口３６ａ及びリブ３９が右側縁部３６の前側端部近傍に配設されているため、連通経路は、水平羽根１０の前側端部１０ａ近傍に、より具体的には水平羽根１０の長手方向の両端部のうちの一方の端部である右側端部１０ｃの前部に位置することになる。なお、本実施形態では、連通経路が水平羽根１０の前側端部１０ａ近傍に設けられているが、連通経路の位置はこれに限定されず、例えば水平羽根１０の後側端部１０ｂ近傍に設けられていてもよい。
【００３１】
（３）特徴
（３−１）
本実施形態の水平羽根１０では、本体側外周壁２２の内側に右側縁部３６が配置されている。そして、右側縁部３６に形成された連通口３６ａ、及び、本体側外周壁２２の面２２ｆと右側縁部３６の面３６ｆとの間に設けられた隙間Ｓより成る連通経路を介して、水平羽根１０の中空部６０の内部空間と外部空間とが連通する。このため、外観上視認し難い連通経路を形成することができている。
【００３２】
（３−２）
本実施形態では、右側縁部３６には、本体側外周壁２２の面２２ｆと右側縁部３６の面３６ｆとの間に隙間Ｓを形成するためのリブ３９が設けられている。このため、リブ３９３９が設けられていない場合と比較して、隙間Ｓが形成されないおそれを低減することができる。これにより、本体２０と蓋３０との接合位置にバラツキがあった場合でも、本体側外周壁２２の面２２ｆと右側縁部３６の面３６ｆとの間の隙間Ｓを確保することができるため、連通経路を形成することができる。
【００３３】
（３−３）
本実施形態では、水平羽根１０は、水平方向に沿って延びるような形状に形成されている。このため、本体側基部２１及び蓋側基部３３もまた、水平方向に沿って延びるように形成されているといえる。また、空気調和装置の運転時には、水平羽根１０は、水平羽根１０の前側端部１０ａが後側端部１０ｂよりも室内機１００の正面側に位置するように配置される姿勢を採る。そして、冷房時には、後側端部１０ｂよりも前側端部１０ａに低温の冷気が接触するため、後側端部１０ｂに結露が生じやすくなる。すなわち、前側端部１０ａは後側端部１０ｂよりも結露が発生し難い箇所といえる。本実施形態では、連通経路が水平羽根１０の前側端部１０ａ近傍に配置されているため、連通経路が結露の発生し難い箇所にあるといえる。また、空気調和装置の運転停止時には、水平羽根１０は、前側端部１０ａが後側端部１０ｂよりも室内機１００の上側に位置するように配置される姿勢を採る。このため、冷房運転の停止時に水平羽根１０に結露が発生していたとしても、結露が連通経路に流れ難くなる。このように、本実施形態では、結露により連通経路が塞がれるおそれを低減することができている。
【００３４】
（４）変形例
（４−１）変形例Ａ
上記実施形態では、右側縁部３６の連通口３６ａ近傍に隙間形成部としてのリブ３９が設けられている。しかしながら、本体側外周壁２２の面２２ｆと右側縁部３６の面３６ｆとの間に隙間Ｓが形成されれば、リブ３９等の隙間形成部が設けられていなくてもよい。また、連通口が、右側縁部３６以外の外周縁部３５，３７，３８に設けられていてもよい。
【００３５】
（４−２）変形例Ｂ
上記実施形態では、右側縁部３６の連通口３６ａ近傍に隙間形成部としてのリブ３９が設けられている。
【００３６】
しかしながら、本体側外周壁２２の面２２ｆと右側縁部３６の面３６ｆとの間に隙間Ｓを設けることができれば、隙間形成部は上記実施形態に限定されない。
【００３７】
例えば、図８に示すように、隙間形成部として、右側縁部３６の面３６ｆが内側（図８では左側）に向かって窪む凹部１３９が形成されていてもよい。
【００３８】
また、蓋ではなく本体が隙間形成部を有していてもよい。例えば、図９に示すように、隙間形成部として、本体側外周壁２２の面２２ｆから右側縁部３６の面３６ｆに向かって突出するリブ２５が１又は複数本（図９では、２本）設けられていてもよい。また、図１０に示すように、隙間形成部として、本体側外周壁２２の面２２ｆから内側（図１０では右側）に向かって窪む凹部１２５が形成されていてもよい。
【００３９】
（４−３）変形例Ｃ
上記実施形態では、壁掛け型の室内機１００に用いられる水平羽根１０について説明しているが、本発明の羽根部品は、これに限定されない。すなわち、空気調和装置の有する中空構造の羽根部品であればよく、例えば、天井設置型の室内機に用いられる水平羽根や室外機に用いられるプロペラファンであってもよい。
【産業上の利用可能性】
【００４０】
本発明は、角部に回動軸が配置されていなくても、外観上視認し難い連通経路を形成することのできるものであり、空気調和装置の羽根部品への適用が有効である。
【符号の説明】
【００４１】
１０      水平羽根（羽根部品）
１０ａ    前側端部
１０ｂ    後側端部
２０      本体
２１      本体側基部
２２      本体側外周壁
３０      蓋
３３      蓋側基部
３６      右側縁部（蓋側外周壁）
３６ａ    連通口
３９      リブ（隙間形成部）
Ｓ      隙間
【先行技術文献】
【特許文献】
【００４２】
【特許文献１】特開２０１４−４４０２０号公報
【図１】
2016044874.tif 000003
【図２】
2016044874.tif 000004
【図３】
2016044874.tif 000005
【図４】
2016044874.tif 000006
【図５】
2016044874.tif 000007
【図６】
2016044874.tif 000008
【図７】
2016044874.tif 000009
【図８】
2016044874.tif 000010
【図９】
2016044874.tif 000011
【図１０】
2016044874.tif 000012